(57)【要約】      （修正有）【課題】洗い場などの床面での場所を取らずコンパクトで体裁良好な防水パンとして、床面或いはキャビネット内での設置も簡便に行うことができ、しかも点検時に洗濯機を移動したり取り除いたりすることなく取り扱いの簡易化を図る。【解決手段】防水パンＡと、洗濯機排水ホースＣを接続し、かつ床面Ｂ下に配設される排水管Ｄに連結されて、排水トラップ本体１とを備えた洗濯機用防水パンＡに取り外し可能に備えられて防水パン上面部を覆う蓋体２１を配し、該蓋体２１に、床面開口部に嵌挿される排水管接続部１１と、洗濯機排水ホースＣがホースジョイント５を介して連結されるホース接続部１２とを備え、さらにホース接続部１２を挿入する開孔２２を底部に有し、該開孔２２を下端面とする傾斜面からなる窪み凹部２３を前記蓋体２１に形成して洗濯機排水ホースＣを挿入誘導すると共に、前記防水パンＡの外周側面を被覆するカバー体２４を設けた。【選択図】    図１
2004316276.tif 000002
【特許請求の範囲】
【請求項１】
床面の排水口に嵌合されて床面に固定され、洗濯機の排水を外部に洩れることなく受けて排出できる防水パンと、洗濯機排水ホースを接続し、かつ床面下に配設される排水管に連結されて、トラップ機能をはたす排水トラップ本体とを備えた洗濯機用防水パンにおいて、前記防水パンに取り外し可能に備えられて防水パン上面部を覆う蓋体を配し、該蓋体に、床面開口部に嵌挿される排水管接続部と、洗濯機排水ホースがホースジョイントを介して連結されるホース接続部とを備え、さらにホース接続部を挿入する開孔を底部に有し、該開孔を下端面とする傾斜面からなる窪み凹部を前記蓋体に形成して洗濯機排水ホースを挿入誘導すると共に、前記防水パンの外周側面を被覆するカバー体を設けたことを特徴とする洗濯機用防水パン。
【請求項２】
請求項１記載の洗濯機用防水パンにおいて、前記蓋体が、前記防水パンの外周縁を被覆する段縁を備えたことを特徴とする洗濯機用防水パン。
【請求項３】
請求項１または２記載の洗濯機用防水パンにおいて、前記カバー体が、前記防水パンの外周に突設されるフランジ部を載置する載置面を有しスペーサを介して取付ネジによって床面上に固着したことを特徴とする洗濯機用防水パン。
【請求項４】
請求項１または２記載の洗濯機用防水パンにおいて、前記カバー体が、前記防水パンの外周縁部を載置する載置面を有する合成樹脂製枠体からなり上下に貫通する取付孔を介して取付ネジによって床面上に固着したことを特徴とする洗濯機用防水パン。
【請求項５】
請求項２，３または４記載の洗濯機用防水パンにおいて、前記排水トラップ本体が、目視可能の無色透明ないし有色透明或いは半透明の合成樹脂によって構成し内部を透視できるようにし、これにトラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とを挿脱自在に備えられ、該排水トラップ本体に、洗濯機排水ホースが接続される排水ホース取付用のホースジョイントのある目皿を目皿受を介して着脱自在にねじ込み或いは嵌合配備したことを特徴とする洗濯機用防水パン
【請求項６】
請求項５記載の洗濯機用防水パンにおいて、前記封水筒が、前記封水カップに嵌挿されるテーパー筒部を有し、かつ前記目皿受に嵌合されるフランジを有する中空筒体であって、該中空筒体の下端開口部内に前記案内筒外周に突設した消泡用リブが挿入配備される形態としたことを特徴とする洗濯機用防水パン
【請求項７】
請求項５記載の洗濯機用防水パンにおいて、前記案内筒が、前記ホースジョイントに接続される中空筒体であって、筒体下端外周に外環板を突設し、該外環板に所定間隔をあけて筒体外周に消泡用のリブを設けると共に、前記封水カップの内底面に立設される翼片上に載置されて流水用の隙間をあけて配備されていることを特徴とする洗濯機用防水パン
【請求項８】
請求項５、６または７記載の洗濯機用防水パンにおいて、排水トラップ本体の底面に前記封水カップを載置する凸面部を形成し、該凸面部に嵌合する凹面部を前記封水カップの底面部に設けたことを特徴とする洗濯機用防水パン。
【発明の詳細な説明】
【０００１】
【発明の属する技術分野】
本発明は、住宅内の洗い場或いはバスルームやマンションの台所、洗面所、ベランダでの流し場或いは流し台やユニットバスなどの各種キャビネット内など床面の排水口に取り付けられる防水パン、特に洗濯機などの排水ホースを接続連結する排水用の防水パンに関するものである。
【０００２】
【従来の技術】
従来の排水トラップは、ホースジョイントが設けられ、洗濯機の排水ホースと接続され、排水ホースから流出する廃水（汚水）を床下に配設した排水管に案内するために用いられており、廃水は、ホースジョイントから排水トラップ内に流れ込み、排水管側へ送られ封水カップと封水筒とで保水する構造によってトラップを簡単に形成して、通常の排水管に洗濯機の排水を流す場合でも臭気の逆流を防止することができるようになっている。
【０００３】
【特許文献１】
公開実用新案公報・実開昭６４−５９７３号公報
上記文献の洗濯機用防水パンは、洗濯機が充分に設置可能な面積の平面略長方形をなし、周囲に水止め用の突縁が形成され、底部の中央に点検口を有し、かつ底部の一隅には洗濯機からこぼれた水や排水を流しだ出すための多数の小孔が穿たれ、かつ上部に洗濯機の排水ホース用差し込みを有してなる排水口が設けられていることが記載されている。
【０００４】
【発明が解決しようとする課題】
この従来の洗い場は、住宅などの家屋の床下が配管スペースとなっているため、敷設される排水トラップの設備も、床下にあって排水トラップ設備や配管の漏水の点検や設備良否の検査、点検が必要になっても、点検口があっても排水トラップ本体の内部が目視できないためにトラップや配管の良否が点検できず、漏水原因や設備検査特に満水検査時に床下の検査や、排水トラップ本体と排水管の接合状態の良否も確認できない不便があって、施工作業や住宅の維持管理上に不安があって問題があった。
また、この防水パンは、洗濯機が充分に設置可能な面積の平面略長方形をなしているため、場所をとり点検の際には、洗濯機の真下にあって洗濯機を取り除かなければ点検口が開けられないために取り扱い不便であるばかりか、リビングとしては、不体裁な形態であり、さらに、排水トラップ本体内に封水筒を装入する形態では、トラップ形成機構が挟隘部分に納められるために排水流路が十分確保できず、洗濯機から排出される水は洗濯槽に多量の水が溜まっている場合には、かなりの水圧を伴って排水されるので、溢流・漏水現象が多発したりして不衛生となり、その上、洗濯の際に生ずる糸くずその他のごみ類が流路に詰って水捌けが悪くなるし、掃除をも頻繁にしなくてはならない欠点があった。
【０００５】
本発明は、これら従来の不便さを排除しようとするもので、洗い場などの床面での場所を取らずコンパクトで体裁良好な防水パンとして、床面或いはキャビネット内での設置も簡便に行うことができ、しかも点検時に洗濯機を移動したり取り除いたりすることなく取り扱いの簡易化を図ることにある。
さらに本発明では、排水トラップ設備や配管の漏水の点検や設備良否の検査、点検が必要になっても、蓋体およびトラップ形成体を外すことと、排水トラップ本体が透明化することで、排水トラップ本体の内部が目視できるためトラップや配管の良否が点検でき、特に満水検査時に床下の検査や、排水トラップと排水管の接合状態の良否も確認できて、施工作業や住宅の維持管理が容易であり、連結部分の接着剤の塗り忘れや奥まで配管が挿入されていないなどの漏水防止に威力を発揮できると共に、洗濯機の排水の際に排水量が増加しても消泡機能があって、排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる低コストの排水トラップを提供することを目的としている。
【０００６】
【課題を解決するための手段】
本発明は、請求項１乃至請求項４に記載の洗濯機用防水パンにおいて、床面の排水口に嵌合されて床面に固定され、洗濯機の排水を外部に洩れることなく受けて排出できる防水パンと、洗濯機排水ホースを接続し、かつ床面下に配設される排水管に連結されて、トラップ機能をはたす排水トラップ本体とを備えた洗濯機用防水パンであって、記防水パンに取り外し可能に備えられて防水パン上面部を覆う蓋体を配し、該蓋体に、床面開口部に嵌挿される排水管接続部と、洗濯機排水ホースがホースジョイントを介して連結されるホース接続部とを備え、さらにホース接続部を挿入する開孔を底部に有し、該開孔を下端面とする傾斜面からなる窪み凹部を前記蓋体に形成して洗濯機排水ホースを挿入誘導すると共に、前記防水パンの外周側面を被覆するカバー体を設けたことで、洗い場などの床面での場所を取らずコンパクトで体裁良好な防水パンとして、床面或いはキャビネット内での設置も簡便に行うことができ、しかも点検時に洗濯機を移動したり取り除いたりすることなく取り扱いの簡易化を図ることができる。
【０００７】
また、本発明では、請求項５に記載の洗濯機用防水パンにおいて、前記排水トラップ本体が、目視可能の無色透明ないし有色透明或いは半透明の合成樹脂によって構成し内部を透視できるようにし、これにトラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とを挿脱自在に備えられ、該排水トラップ本体に、洗濯機排水ホースが接続される排水ホース取付用のホースジョイントのある目皿を目皿受を介して着脱自在にねじ込み或いは嵌合配備したことで、排水トラップ本体の内部が目視できるためトラップや配管の良否が容易に点検でき、特に満水検査時に床下の検査や、排水トラップ本体と排水管の接合状態の良否も確認できて、施工作業や住宅の維持管理が容易である。
さらに、本発明では、請求項６乃至請求項８に記載の洗濯機用防水パンにおいて、前記封水カップが、前記目皿受に挿脱自在に嵌挿される有底筒体であって、底面に流水用の隙間を形成できる翼片を所定間隔をあけて立設し、かつ筒体上部周側面に流水スリットを設けてあり、前記封水筒が、前記封水カップに嵌挿されるテーパー筒部を有し、かつ前記目皿受に嵌合されるフランジを有する中空筒体であって、該中空筒体の下端開口部内に前記案内筒外周に突設した消泡用リブが挿入配備される形態としてあるので、排水トラップでの排水流路が十分確保でき漏水することなく、排水管路内での高流速の維持が確実にできてごみ詰り現象がなく安全に用いられ、しかも前記封水カップ、封水筒や消泡筒のトラップ形成体が着脱自在なので、排水口から封水筒、トラップ形成体を取り外して清掃することが可能である。
【０００８】
また、本発明では、前記案内筒が、前記ホースジョイントに接続される中空筒体であって、筒体下端外周に外環板を突設し、該外環板に所定間隔をあけて筒体外周に消泡用のリブを設けると共に、前記封水カップの内底面に立設される翼片上に載置されて流水用の隙間をあけて配備されていることと、排水トラップ本体の底面に前記封水カップを載置する凸面部を形成し、該凸面部に嵌合する凹面部を前記封水カップの底面部に設けたことにより、わん状の封水カップを垂下状態に一体成形して、前記封水筒内に消泡筒を流水用の隙間をあけて配備したことで、封水筒内への排水もスムーズで水密状態をも確実に保って排水でき、漏水防止に寄与すると共に、トラップ形成体の位置決めが確実に維持でき、臭気の逆流防止が可能で排水トラップ機能を十分発揮できるほか、排水流路の確保も充分とれて排水管路内での安全性を高められる。
【０００９】
【発明の実施の形態】
以下、本発明の実施の形態を図面を参照して説明する。
この実施の形態における洗濯機用防水パンでは、図１乃至図６に示すように、排水トラップ本体１が防水パンＡ或いは床面Ｂの排水口に嵌合され床面上に載置固定されて用いられる。
図１の例では、洗濯機の排水を外部に洩れることなく受けて排出できる防水パンＡは、床面Ｂの排水口に嵌合されて床面Ｂに固定され、洗濯機排水ホースＣを接続し、かつ床面Ｂ下に配設される排水管Ｄに連結されて、トラップ機能をはたす排水トラップ本体１を備えた洗濯機用防水パンとしてあり、この防水パンＡに取り外し可能に備えられて防水パン上面部を覆う蓋体２１を配し、該蓋体２１に、床面開口部に嵌挿される排水管接続部１１と、洗濯機排水ホースＣがホースジョイント５を介して連結されるホース接続部１２とを備え、さらに該ホース接続部１２を挿入する開孔２２を底部に有し、該開孔２２を下端面とする傾斜面からなる窪み凹部２３を前記蓋体２１に形成して洗濯機排水ホースＣを挿入誘導すると共に、前記防水パンＡの外周側面を被覆するカバー体２４を設けてある。
この蓋体２１に開孔２２を下端面とする傾斜面からなる窪み凹部２３があることで、排水ホースＣを誘導案内して収納でき洗濯機から床面Ｂの排水口に排水をスムーズに排出することができると共に、洗濯機排水ホースＣの収まりもよく不体裁になることもなく用いられる。
【００１０】
前記蓋体２１としては、図２に示す如く前記防水パンＡの外周縁を被覆する段縁２１１  を備えて縁取り装飾と外傷を防ぐ安全性を兼ね備えるのがよく、また、窪み凹部２３は開孔２２を中心点とした扇状の円弧形状として先端側に向かって深さが漸減する凹面部とし、洗濯機排水ホースＣの向きを変えられる余裕を持たせて、洗濯機の設置箇所の変化に対応するようにするのがよい。
さらに、この蓋体２１を被せた前記防水パンＡの周囲に配置する縁取り化粧板の前記カバー体２４は、前記防水パンＡの外周に突設されるフランジ部を載置する載置面を有するチヤンネル材（断面コ状のビニールコーティング鋼板或いはステンレス材若しくは樹脂材乃至木材などの化粧板）を用いて長方形の枠状体とし、この該載置面の複数カ所に取付孔２５１  を設け、該取付孔２５１  にスペーサ２５、例えば合成樹脂、スチールその他の素材のパイプ状の円筒体を介在配備して取付ネジ２６によって床面Ｂ上に固着したり（図３）、或いは前記カバー体２４を前記防水パンＡの外周縁部を載置する載置面を有する合成樹脂製枠体からなるフレームを用いて、該フレームの複数カ所に上下に貫通する取付孔２７を設け、取付孔２７に差し込んだ取付ネジ２６によって床面Ｂ上に固着するのがよく（図４）、取付部分のネジ頭を前記蓋体２１によって被せることで、装飾用の化粧カバーとしてリビングに適合した体裁良好な形態にするよう配慮してある。
【００１１】
そして前記排水管Ｄに連結される排水トラップ本体１には、トラップ機能をはたす封水カップ２と、該封水カップ２に流水用の間隔をあけて嵌挿され下端開口部３１  で連通する封水筒３と、さらに該封水筒３に流水用の間隔をあけて嵌挿され、前記封水カップ２に載置される案内筒４とを挿脱自在に備えると共に、該排水トラップ本体１に、排水ホースＣが接続される排水ホース取付用のエルボ状のホースジョイント５が連結した目皿６を目皿受７を介して着脱自在にねじ込み或いは嵌合配備したものからなり、さらに前記排水トラップ本体１に排水管Ｄを連結できる横引き接続部１１或いは縦引き接続部と、ホース接続部１２とを一体形成し、この排水トラップ本体１を目視可能の無色透明ないし黄色、赤色、青色等の顔料によって着色した有色透明或いは半透明の合成樹脂例えば、ＡＢＳ樹脂、ＰＰ樹脂などによって内部を透視できる構成としてある。
【００１２】
前記封水カップ２としては、前記目皿受７に挿脱自在に嵌挿される有底筒体であって、底面に流水用の隙間を形成できる翼片８を所定間隔をあけて立設し、かつ筒体上部周側面にオーバーフロー孔の流出スリット９を周方向に間隔をおいて複数設けてある。
また、封水カップ２内に流水用の間隔をあけて嵌挿される前記封水筒３も、前記封水カップ２に嵌挿されるテーパー筒部３２  を有し、かつ前記目皿受７に嵌合されるフランジ１３を有する中空筒体であって、該中空筒体の下端開口部３１  内に前記案内筒外周に突設した消泡用リブ１４が挿入配備される形態としてある。
【００１３】
さらに、前記案内筒４は、両端開口で前記ホースジョイント５に接続される中空筒体であって、下端開口４１  の筒体下端外周に外環板１５を突設し、該外環板１５に所定間隔をあけて筒体外周に消泡用リブ１４を設けると共に、前記封水カップ２の内底面に立設される翼片８上に載置されて前記封水筒３との間に流水用の隙間をあけて配備されている。
なお、前記排水トラップ本体１の底面に前記封水カップ２を載置する凸面部１０を形成し、該凸面部１０に嵌合する凹面部２０を前記封水カップ２の底面部に設けて、封水カップ２が排水トラップ本体１内の所定位置に保持でき位置決めできるようにしてある。
【００１４】
さらにまた、前記排水トラップ本体１は目視可能の透明合成樹脂で構成してあるが、さらに、トラップ機能をはたす封水カップ２も同様に目視可能の透明合成樹脂で構成してもよいし、該封水カップ２に流水用の間隔をあけて嵌挿される封水筒３と、或いは該封水筒３に流水用の間隔をあけて嵌挿され、前記封水カップ２に載置される案内筒４とをも目視可能の透明合成樹脂で構成することもできる。この場合、透明合成樹脂で構成するのを外側から内部を透視できる範囲を決めて選択するが、着色透明の度合いも適宜選んで組み合わせるのも有効である。
【００１５】
さらに透明合成樹脂で構成する前記排水トラップ本体１に一体形成した横引き或いは縦引き用の接続部１１に接続する排水管Ｄの接合状態を目視で確認するには、有色接着剤を用いて接着剤の塗り忘れや塗布むらの不良或いは排水管Ｄの挿入不足など接続不良を透視で容易に確認できるようにするのがよい。
【００１６】
前記排水トラップ本体１と前記目皿受７との間に、また前記封水カップ２と、封水筒３のフランジ１３との間に、リング状のスリップパッキン１６，１６１  および平パッキン１７，１７１  のシール部材を介在配備して、目皿受７を排水トラップ本体１に、さらに目皿６を目皿受７に嵌着することによって、封水密着配備して排水トラップを漏水防止形態とすることができる。
また、洗濯機の前記排水ホースＣは、ナイロンバンド等のホース固定バンド１８によってホースジョイント５に接続連結されて排水トラップ本体１が洗濯機に接続される。
【００１７】
前記前記排水トラップは、各部材が耐衝撃性、耐腐性、および耐熱性などに優れたＡＢＳ樹脂などで成形され、排水口を覆い防水パン或いは床面に圧接固着されれるが、前記目皿６は、ねじによって固着できる複数の取付孔６１  （本実施形態では２個）が周方向に間隔をおいて穿設されている。この目皿６を嵌合保持する目皿受７には、外周にネジ部７１  を備え、排水トラップ本体１のネジ部１１  に着脱自在に螺合され圧接保持できるようにしてある。
【００１８】
この場合、エラストマーなどの軟性樹脂からなるエルボの前記ホースジョイント５を目皿６或いはパッキンホルダーで、排水トラップ本体１に締め付ける形態とすることもでき、ホースジョイント５に接続される案内筒４に相対するフランジ部が押し付けられるようにしても、水密に保った状態で強固に接続することができるが、いずれにしても前記ホースジョイント５を目皿６に直接或いはパッキンホルダーを介して着脱自在に目皿６或いは排水トラップ本体１に保持する形態として施行工事も簡便で汎用性に富んだものにすることもできる。
【００１９】
前記封水筒３は軽量性、耐熱性に優れたＡＢＳ、ＰＰ樹脂などで、上部をカップ状の円錐筒形に成形され、その内面上部に補強リブ１９を有し、中央部に案内筒４が備えられ、前記封水カップ２の内周に嵌装保持されて用いられ、また、前記封水カップ２の底部に凹面部２０の湾曲部を形成することにより排水の流れに溜まりや衝突をできるだけなくして、より良い排水の流れを形成することができる。
さらに、排水トラップ本体１内に封水カップ２が同心的に配備されようにトラップ機構として着脱自在に嵌入保持されるが、各筒体の周囲に形成した流水用の隙間を均等に保って適確な位置決めが行われる。
【００２０】
例えば、前記封水カップ２には、貯留水中に漬かる筒状の封水筒３のトラップ形成体によりトラップ機構を備えるが、前記ホースジョイント５を経て案内筒４に入った汚水は、案内筒４の周方向にほぼ全周にわたって広く開いた開放型の下端開口４１  から封水カップ２に導入されるが、下底部に流水用隙間を形成する翼片８によって誘導され、さらに封水カップ２の湾曲側壁に沿って上向流で流過して上部の流出スリット９からオーバーフローして噴出される。一方、前記目皿６から流入する漏れ水は、案内筒４の外周を伝って下端開口３１  から外周を流れる上向流に巻き込み誘引混合されて、流出スリット９からオーバーフローして噴出され、排水トラップ本体１の接続部１１に接続された排水管Ｄに排出される。
この場合、前記排水トラップ本体１内に封水筒３で構成される空間周辺を中心に強い乱れを伴なう反転流を形成することとなり、この形式の流れ場は広い範囲の乱れをもっていて、特に比較的規模の大きな巻き込み流を発生させることができるため、封水筒３の壁付近の流速は激しく外周方向に誘導されて、洗剤等の管壁への付着を防げる効果をもつほか、下流の半径方向流速分布にも影響を与え、流路が縮小している流れ場においては、縮小している側の流速も増大し、この結果、その下流部においても管壁近傍の高流速が維持されて管内流を形成し、管路流の閉塞現象やごみ詰り現象の発生がなく有効に用いられる。
また、前記案内筒４に消泡用リブ１４を形成してあるので、貯留水の泡立ちを未然に防ぎ目皿６より逆流噴出することがなく排水トラップを衛生的に使用できる。
【００２１】
前記ホースジョイント５の固定用の目皿６或いはパッキンホルダーとしては、中央にホースジョイント５の嵌合孔を有する中空板或いは円筒体からなり、旋回操作用のすべり防止の凹凸面を外側に設け、目皿受７或いは排水トラップ本体１に設けた凸状係合部或いはねじ部を嵌合させるガイド凹溝或いはねじ部を備え、前記排水トラップ本体１に封水カップ２及び封水筒３を嵌入したのち、案内筒４を接続してホースジョイント５の一端開口を連結し、目皿６或いはパッキンホルダーを装着すれば、前記封水カップ２および封水筒３からなるトラップ形成体を排水トラップ本体１内に容易に組み入れセットすることができる。
【００２２】
前記排水トラップ本体１を防水パンＡに備えるのに、図１に示すように防水パンＡに開口した排水口に排水トラップ本体１を固着した例では、横引き接続部１１のある排水トラップ本体１は、トラップ機能をはたす案内筒４と封水筒３および排水カップ２とを排水トラップ本体１に挿脱自在に備えたものからなり、排水ホース取付用のホースジョイント５のあるごみよけ目皿６を着脱自在にねじ込み或いは嵌合配備するのがよい。
防水パンＡの排水口は、目皿６で覆われていてこれを取り外せば、案内筒４と封水筒３および排水カップ２とを取り除くことができ、排水管Ｄを高圧洗浄等の整送も容易に行えるし、排水ホースＣのホースジョイント５も目皿６に回転自在に連結して洗濯機排水ホースＣとの取り扱いを簡易にすることができる。
また、前記排水ホースＣは、必要に応じて蛇腹部を介して、ホース固定バンド１８によってホースジョイント５に嵌挿入状態を維持できるようにするのがよく、排水トラップ本体１、排水カップ２、封水筒３およひ案内筒４がＡＢＳ樹脂、ＰＰ樹脂などの合成樹脂で一体成形されているので、さびることがなく、清潔性を大いに維持することができるとともに、取扱いがきわめて容易となる。
【００２３】
図１の例でも、洗濯機に排水トラップを取り付けるには、床面に設けられた排水管Ｄの管径を確認し、排水トラップ本体１の排水管接続部１１に排水管Ｄを接続固着する。次いで、防水パンＡに排水トラップ本体１を固着し、目皿受７を嵌入配備しトラップ機能をはたす案内筒４と封水筒３および排水カップ２とを排水トラップ本体１に嵌入保持させる。そして、前記案内筒４にホースジョイント５を挿入接続して目皿受７にホースジョイント５のある目皿６を定着し、ホースジョイント５の他端開口のホース受けパイプに洗濯機の排水ホースＣを挿入接続すれば、排水トラップの施工作業を終了することができる。
【００２４】
このような状態で洗濯機の排水ホースＣから汚水が流れてくると、この汚水は、前記ホースジョイント５から案内筒４、排水カップ２を経て流出スリット９より排水管Ｄに流出する。なお、この排水管Ｄを経由してくる悪臭は、前記封水筒３に貯えられた汚水のトラップ作用により、案内筒４および排水筒体３からなるトラップ形成体に流れ込むのを確実に抑制防止される。
【００２５】
この場合、前記蓋体２１を防水パンＡより外して防水パンＡに嵌合されている目皿６を外せば、トラップ機能をはたす封水カップ２と、該封水カップ２に流水用の間隔をあけて嵌挿され下端開口部３１  で連通する封水筒３と、さらに該封水筒３に流水用の間隔をあけて嵌挿され、前記封水カップ２に載置される案内筒４とからなるトラップ形成体を前記排水トラップ本体１より取り出すことができて、内部の清掃や点検も簡便に行うことができる。
【００２６】
また、この防水パンＡは、洗濯機の設置可能な十分な面積がなくても床面に載置しているため、場所をとらず点検の際には、防水パンＡ上の蓋体２１を取り外して排水トラップ本体内のトラップ形成体を引き出すことができ、洗濯機を取り除いたり移動したりすることなく点検することが可能で、取り扱い簡便であるばかりか、リビングとしては、体裁良好な形態であり、洗濯機の排水の際に排水量が増加しても排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる。
【００２７】
【発明の効果】
本発明は、床面の排水口に嵌合されて床面に固定され、洗濯機の排水を外部に洩れることなく受けて排出できる防水パンと、洗濯機排水ホースを接続し、かつ床面下に配設される排水管に連結されて、トラップ機能をはたす排水トラップ本体とを備えた洗濯機用防水パンであって、前記防水パンに取り外し可能に備えられて防水パン上面部を覆う蓋体を配し、該蓋体に、床面開口部に嵌挿される排水管接続部と、洗濯機排水ホースがホースジョイントを介して連結されるホース接続部とを備え、さらにホース接続部を挿入する開孔を底部に有し、該開孔を下端面とする傾斜面からなる窪み凹部を前記蓋体に形成して洗濯機排水ホースを挿入誘導すると共に、前記防水パンの外周側面を被覆するカバー体を設けたことで、洗い場などの床面での場所を取らずコンパクトで体裁良好な防水パンとして、床面或いはキャビネット内での設置も簡便に行うことができ、しかも点検時に洗濯機を移動したり取り除いたりすることなく取り扱いの簡易化を図ることができる。
【００２８】
また、本発明では、洗濯機用防水パンに用いられる前記排水トラップ本体が、目視可能トラップ機能をはたす封水カップと、該封水カップに流水用の間隔をあけて嵌挿され下端開口部で連通する封水筒と、さらに該封水筒に流水用の間隔をあけて嵌挿され、前記封水カップに載置される案内筒とを挿脱自在に備えると共に、該排水トラップ本体に、エルボを含み排水ホースが接続される排水ホース取付用のホースジョイントのある目皿を目皿受を介して着脱自在にねじ込み或いは嵌合配備したものからなり、さらに前記排水トラップ本体に排水管を連結できる接続部を一体形成し、この排水トラップ本体を目視可能の無色透明ないし有色透明或いは半透明の合成樹脂によって構成して内部を透視できるようにしたことにより、排水トラップ設備や配管の漏水の点検や設備良否の検査、点検が必要になっても、排水トラップ本体の内部が目視できるためトラップや配管の良否が点検でき、漏水原因や設備点検、特に満水検査時に床下の検査や、排水トラップと排水管の接合状態の良否、例えば、排水管の排水トラップ本体への配管接着剤の塗り忘れや塗布むらの不良或いは排水管の挿入不足など接続不良を透視で容易に確認できて、施工作業や住宅の維持管理が容易であり、連結部分の接着剤の塗り忘れや奥まで配管が挿入されていないなどの漏水防止に威力を発揮できると共に、洗濯機の排水の際に排水量が増加しても消泡機能があって、排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる。
【００２９】
また、本発明は、前記防水パンに取り外し可能に備えられて防水パン上面部を覆う蓋体を配し、該蓋体に床面開口部に嵌挿される排水管接続部と、洗濯機排水ホースがホースジョイントを介して連結されるホース接続部とを備え、さらにホース接続部を挿入する開孔を底部に有し、該開孔を下端面とする傾斜面からなる窪み凹部を前記蓋体に形成して洗濯機排水ホースを挿入誘導することで、洗い場などの床面での場所を取らずコンパクトで体裁良好な防水パンとして、床面或いはキャビネット内での設置も簡便に行うことができ、しかも点検時に排水トラップ本体内のトラップ形成体が封水筒体の周方向に開口して排水カッツプ内に納められるので、排水流路を十分に確保できごみ類の詰り現象がなく、殊に排水トラップ本体内で排水カップおよび案内筒と封水筒体で構成される内外空間周辺を中心に強い乱れを伴なう反転流を形成することとなり、汚水中の糸くづ、髪毛などのごみ類の引掛かりがなく、排水トラップ機能をも十分に発揮できる配管接続が容易にでき、施行工事も簡便で汎用性に富み、カップ以降の下流部においても管壁近傍の高流速が維持され管内施回流を形成して、管路流の閉塞現象の発生がなく有効に用いられ、清掃作業を頻繁にする必要がなく取扱い安全な排水トラップとすることができるなどの効果がある。
【図面の簡単な説明】
【図１】本発明に係る洗濯機用防水パンを示し、（ａ）はその縦断面図、（ｂ）はそのｂ−ｂ線における縦断面図である。
【図２】図１の例の蓋体を示すものであって、（ａ）はその斜視図、（ｂ）はその使用状態の平面図である。
【図３】図１の例のカバー体の一例を示し、（ａ）はその斜視図、（ｂ）はその使用状態の一部の拡大縦断面図である。
【図４】図１の例のカバー体の他の例を示し、（ａ）はその斜視図、（ｂ）はその使用状態の一部の拡大縦断面図である。
【図５】図１の例の排水トラップを防水パンに使用した状態を示し、（ａ）はその平面図、（ｂ）はその使用状態の側面図、（ｃ）はａ図のｃ−ｃ線における一部拡大縦断面図である。
【図６】図１の例の分離状態示す斜視図である。
【符号の説明】
Ａ    防水パン
Ｂ    床面
Ｃ    排水ホース
Ｄ    排水管
１    排水トラップ本体
１１    ネジ部
２    封水カップ
３    封水筒
３１    下端開口部
３２    テーパー筒部
４    案内筒
５    ホースジョイント
６    目皿
７    目皿受
７１    ネジ部
８    翼片
９    流出スリット
１０    凸面部
１１    接続部
１２    ホース接続部
１３    フランジ
１４    消泡用リブ
１５    外環板
１６，１６    スリップパッキン１６，１６１  
１７，１７    平パッキン
１８    ホース固定バンド
１９    補強リブ
２０    凹面部
２１    蓋体
２１１    段縁
２２    開孔
２３    窪み凹部
２４    カバー体
２５    スペーサ
２５１    取付孔
２６    取付ネジ
２７    取付孔
【図１】
2004316276.tif 000003
【図２】
2004316276.tif 000004
【図３】
2004316276.tif 000005
【図４】
2004316276.tif 000006
【図５】
2004316276.tif 000007
【図６】
2004316276.tif 000008